(57)【要約】【課題】電気泳動表示装置において、隣り合う画素電極間のリーク電流を低減する。【解決手段】電気泳動表示装置は、複数の画素電極（２１）と、複数の画素電極に対向する対向電極（２２）と、複数の画素電極と対向電極との間に設けられた電気泳動粒子を含む電気泳動素子（２３）と、複数の画素電極のうち隣り合う画素電極の少なくとも一方の画素電極における対向電極側の面に、少なくとも一方の画素電極を部分的に覆うように設けられた絶縁膜（３１０）とを備える。【選択図】図３
2012225981.tif 000002
【特許請求の範囲】
【請求項１】
複数の画素電極と、
該複数の画素電極に対向する対向電極と、
前記複数の画素電極と前記対向電極との間に設けられた電気泳動粒子を含む電気泳動素子と、
前記複数の画素電極のうち隣り合う画素電極の少なくとも一方の画素電極における前記対向電極側の面に、前記少なくとも一方の画素電極を部分的に覆うように設けられた絶縁膜と
を備えることを特徴とする電気泳動表示装置。
【請求項２】
前記絶縁膜は、前記少なくとも一方の画素電極を部分的に覆う本体部と、該本体部から前記隣り合う画素電極間に延在する延在部とを有することを特徴とする請求項１に記載の電気泳動表示装置。
【請求項３】
前記絶縁膜は、前記少なくとも一方の画素電極の一部を夫々露出させる複数の開口部を有することを特徴とする請求項１又は２に記載の電気泳動表示装置。
【請求項４】
前記複数の画素電極と前記電気泳動素子との間に設けられた接着剤を備えることを特徴とする請求項１から３のいずれか一項に記載の電気泳動表示装置。
【請求項５】
請求項１から４のいずれか一項に記載の電気泳動表示装置を備えることを特徴とする電子機器。
【発明の詳細な説明】
【技術分野】
【０００１】
本発明は、電気泳動表示装置及び電子機器の技術分野に関する。
【背景技術】
【０００２】
この種の電気泳動表示装置は、電気泳動粒子を含む電気泳動素子を挟んで対向する画素電極及び対向電極間に電圧を印加して、例えば黒色粒子及び白色粒子等の電気泳動粒子を移動させることで表示部に画像を表示する（例えば特許文献１及び２参照）。電気泳動素子は、例えば、複数の電気泳動粒子を夫々含む複数のマイクロカプセルから構成され、画素電極及び対向電極間に、樹脂等からなる接着剤によって固定される。なお、対向電極は、共通電極と呼ばれることもある。例えば特許文献１には、隣り合う画素電極の間の領域に絶縁層を形成することにより、隣り合う画素電極間に接着剤を介して流れるリーク電流を抑える技術が開示されている。
【０００３】
一方、この種の電気泳動表示装置では、表示部に表示されている画像を書き換える際、画像が部分的にしか変化しない場合には、変化する部分に対応する画素のみの画素電極及び対向電極間に電圧を印加することにより、画像を部分的に書き換える駆動方法（以下「部分書き換え駆動」と適宜称する）が採用されることがある。このような部分書き換え駆動が採用された電気泳動表示装置では、例えば、表示部に表示される画像のうち黒色で表示される黒画像部分と白色で表示される白画像部分との境界部が滲んだように表示されてしまうおそれがある、言い換えれば、黒画像部分の輪郭部が白画像部分側に広がったように（或いは膨らんだように）表示されてしまうおそれがあることが知られている（例えば特許文献２参照）。このような境界部の滲みが発生すると、黒画像部分に対応する画素のみに電圧を印加することにより、表示部に表示される画像を全白画像に書き換えた場合、境界部の滲みが残像として残ってしまう、言い換えれば、表示されていた黒画像部分の輪郭部に沿った残像が発生してしまうおそれがある。なお、以下では、このような輪郭部に沿った残像が発生する現象、或いは、このような輪郭部に沿った残像そのものを「輪郭残像」と適宜称する。例えば特許文献２には、表示部に表示された画像を部分書き換え駆動により全白画像に書き換える（即ち、黒画像部分を消去する）際、黒画像部分に対応する画素に加えて、黒画像部分の輪郭部に対応する画素と隣り合って配置され白色を表示する画素にも電圧を印加することにより、輪郭残像を消去する技術が開示されている。
【先行技術文献】
【特許文献】
【０００４】
【特許文献１】特開２００８−２４９７９２号公報
【特許文献２】特開２０１０−１１３２８１号公報
【発明の概要】
【発明が解決しようとする課題】
【０００５】
前述した例えば特許文献２に開示された技術によれば、輪郭残像を消去できるが、前述したような境界部の滲みの発生を抑制できないという技術的問題点がある。ここで、本願発明者らの研究によれば、前述したような境界部の滲みは、隣り合う画素電極間に接着剤を介して流れるリーク電流に起因して生じることが判明している。しかしながら、例えば特許文献１に開示された技術によれば、境界部の滲みを低減するのに十分なほどにはリーク電流を低減できないおそれがあるという技術的問題点がある。
【０００６】
本発明は、例えば前述した問題点に鑑みなされたものであり、隣り合う画素電極間のリーク電流を低減可能であり、高品質な画像を表示可能な電気泳動表示装置及びこのような電気泳動表示装置を備えた電子機器を提供することを課題とする。
【課題を解決するための手段】
【０００７】
本発明に係る電気泳動表示装置は上記課題を解決するために、複数の画素電極と、該複数の画素電極に対向する対向電極と、前記複数の画素電極と前記対向電極との間に設けられた電気泳動粒子を含む電気泳動素子と、前記複数の画素電極のうち隣り合う画素電極の少なくとも一方の画素電極における前記対向電極側の面に、前記少なくとも一方の画素電極を部分的に覆うように設けられた絶縁膜とを備える。
【０００８】
本発明に係る電気泳動表示装置によれば、その動作時には、画素毎に設けられた画素電極と複数の画素に共通して設けられた対向電極との間に挟持された電気泳動素子に、画像信号に応じた電圧が印加されることによって、複数の画素からなる表示部に画像が表示される。より具体的には、例えばマイクロカプセルである電気泳動素子の内部には、電気泳動粒子として、例えば、負に帯電された複数の白色粒子と正に帯電された複数の黒色粒子とが含まれている。画素電極及び対向電極間に印加される電圧に応じて、負に帯電された複数の白色粒子及び正に帯電された複数の黒色粒子のうち一方が画素電極側に移動（即ち、泳動）し、他方が対向電極側に移動することにより、対向電極側に画像が表示される。なお、電気泳動素子は、画素電極及び対向電極間に例えば樹脂からなるバインダーや接着剤によって固定される。
【０００９】
本発明では特に、複数の画素電極のうち隣り合う画素電極の少なくとも一方の画素電極における対向電極側の面に、少なくとも一方の画素電極を部分的に覆うように絶縁膜が設けられている。典型的には、絶縁膜は、複数の画素電極の全てに設けられており、画素電極の一部を夫々露出させる複数の開口部を有している。
【００１０】
よって、例えば少なくとも一方の画素電極における対向電極側の面に絶縁膜が設けられていない場合と比較して、少なくとも一方の画素電極が、例えば複数の画素電極を覆うように設けられた接着剤と接触する面積を低減できる。言い換えれば、少なくとも一方の画素電極における対向電極側の面におけるリーク電流が発生し得る領域を絶縁膜によって狭くすることができる。したがって、例えば複数の画素電極を覆うように設けられた接着剤を介して、隣り合う画素電極間にリーク電流が発生してしまうことを低減できる。これにより、例えば、前述したような境界部の滲みの発生を抑制でき、ひいては、輪郭残像の発生を抑制できる。この結果、高品質な画像を表示することが可能となる。
【００１１】
なお、絶縁膜は、隣り合う画素電極の両方の画素電極に設けられてもよいし、隣り合う画素電極の一方の画素電極に設けられ、他方の画素電極に設けられなくてもよい。隣り合う画素電極の一方の画素電極にのみ絶縁膜が設けられる場合にも、一方の画素電極が例えば複数の画素電極を覆うように設けられた接着剤と接触する面積を絶縁膜によって低減できるので、例えば複数の画素電極を覆うように設けられた接着剤を介して、隣り合う画素電極間にリーク電流が発生してしまうことを確実に低減できる。
【００１２】
更に、本発明では、絶縁膜は、少なくとも一方の画素電極を部分的に覆うように、言い換えれば、少なくとも一方の画素電極の一部が対向電極側に露出するように設けられているので、画素電極及び対向電極間に画像信号に応じた電圧を確実に印加できる。
【００１３】
以上説明したように、本発明に係る電気泳動表示装置によれば、隣り合う画素電極間のリーク電流を低減できる。これにより、例えば、前述したような境界部の滲みの発生を抑制でき、ひいては、輪郭残像の発生を抑制できる。更に、画素電極及び対向電極間に画像信号に応じた電圧を確実に印加できる。これらの結果、高品質な画像を表示することが可能となる。
【００１４】
本発明に係る電気泳動表示装置の一態様では、前記絶縁膜は、前記少なくとも一方の画素電極を部分的に覆う本体部と、該本体部から前記隣り合う画素電極間に延在する延在部とを有する。
【００１５】
この態様によれば、絶縁膜の延在部が、隣り合う画素電極間に設けられているので、隣り合う画素電極間のリーク電流の発生をより確実に低減できる。
【００１６】
本発明に係る電気泳動表示装置の他の態様では、前記絶縁膜は、前記少なくとも一方の画素電極の一部を夫々露出させる複数の開口部を有する。
【００１７】
この態様によれば、隣り合う画素電極間のリーク電流の発生をより確実に低減できるとともに、画素電極及び対向電極間に画像信号に応じた電圧を確実に印加できる。
【００１８】
本発明に係る電気泳動表示装置の他の態様では、前記複数の画素電極と前記電気泳動素子との間に設けられた接着剤を備える。
【００１９】
この態様によれば、電気泳動素子を複数の画素電極に接着剤によって確実に固定できるとともに、隣り合う画素電極間に接着剤を介して流れるリーク電流を低減できる。
【００２０】
本発明に係る電子機器は上記課題を解決するために、前述した本発明に係る電気泳動表示装置（但し、その各種態様も含む）を備える。
【００２１】
本発明に係る電子機器によれば、前述した本発明に係る電気泳動表示装置を備えるので、高品質な画像を表示することが可能な、例えば、腕時計、電子ペーパー、電子ノート、携帯電話、携帯用オーディオ機器などの各種電子機器を実現できる。
【００２２】
本発明の作用及び他の利得は次に説明する発明を実施するための形態から明らかにされる。
【図面の簡単な説明】
【００２３】
【図１】第１実施形態に係る電気泳動表示装置の全体構成を示すブロック図である。
【図２】第１実施形態に係る画素の電気的な構成を示す等価回路図である。
【図３】第１実施形態に係る電気泳動表示装置の表示部の部分断面図である。
【図４】第１実施形態に係る電気泳動表示装置の画素電極を部分的に覆う絶縁膜の構成を示す平面図である。
【図５】第２実施形態に係る電気泳動表示装置の画素電極を部分的に覆う絶縁膜の構成を示す平面図である。
【図６】第３実施形態に係る電気泳動表示装置の画素電極を部分的に覆う絶縁膜の構成を示す平面図である。
【図７】第４実施形態に係る電気泳動表示装置の画素電極を部分的に覆う絶縁膜の構成を示す平面図である。
【図８】第５実施形態に係る電気泳動表示装置の画素電極を部分的に覆う絶縁膜の構成を示す平面図である。
【図９】電気泳動表示装置を適用した電子機器の一例たる電子ペーパーの構成を示す斜視図である。
【図１０】電気泳動表示装置を適用した電子機器の一例たる電子ノートの構成を示す斜視図である。
【発明を実施するための形態】
【００２４】
以下では、本発明の実施形態について図を参照しつつ説明する。
【００２５】
＜第１実施形態＞
第１実施形態に係る電気泳動表示装置について、図１から図４を参照して説明する。
【００２６】
まず、本実施形態に係る電気泳動表示装置の全体構成について、図１及び図２を参照して説明する。
【００２７】
図１は、本実施形態に係る電気泳動表示装置の全体構成を示すブロック図である。
【００２８】
図１において、本実施形態に係る電気泳動表示装置１は、アクティブマトリクス駆動方式の電気泳動表示装置であり、表示部３と、コントローラー１０と、走査線駆動回路６０と、データ線駆動回路７０と、共通電位供給回路２２０とを備えている。
【００２９】
表示部３には、ｍ行×ｎ列分の画素２０がマトリクス状（二次元平面的）に配列されている。また、表示部３には、ｍ本の走査線４０（即ち、走査線Ｙ１、Ｙ２、…、Ｙｍ）と、ｎ本のデータ線５０（即ち、データ線Ｘ１、Ｘ２、…、Ｘｎ）とが互いに交差するように設けられている。具体的には、ｍ本の走査線４０は、行方向（即ち、Ｘ方向）に延在し、ｎ本のデータ線５０は、列方向（即ち、Ｙ方向）に延在している。ｍ本の走査線４０とｎ本のデータ線５０との交差に対応して画素２０が配置されている。
【００３０】
コントローラー１０は、走査線駆動回路６０、データ線駆動回路７０及び共通電位供給回路２２０の動作を制御する。コントローラー１０は、例えば、クロック信号、スタートパルス等のタイミング信号を各回路に供給する。
【００３１】
走査線駆動回路６０は、コントローラー１０による制御下で、走査線Ｙ１、Ｙ２、…、Ｙｍの各々に走査信号をパルス的に順次供給する。
【００３２】
データ線駆動回路７０は、コントローラー１０による制御下で、データ線Ｘ１、Ｘ２、…、Ｘｎに、画像信号に応じたデータ電位を供給する。データ電位は、基準電位ＧＮＤ（例えば０ボルト）、高電位ＶＨ（例えば＋１５ボルト）又は低電位ＶＬ（例えば−１５ボルト）のいずれかの電位をとる。なお、後述するように、本実施形態では、前述した部分書き換え駆動が採用されている。
【００３３】
共通電位供給回路２２０は、共通電位線９３に共通電位Ｖｃｏｍ（本実施形態では、基準電位ＧＮＤと同一の電位）を供給する。なお、共通電位Ｖｃｏｍは、共通電位Ｖｃｏｍが供給された対向電極２２と基準電位ＧＮＤが供給された画素電極２１との間に電圧が実質的に生じない範囲内で、基準電位ＧＮＤとは異なる電位であってもよい。例えば、共通電位Ｖｃｏｍが、フィードスルーによる画素電極２１の電位の変動を考慮して、画素電極２１に供給される基準電位ＧＮＤとは異なる値とされていてもよく、この場合であっても、本明細書では、共通電位Ｖｃｏｍと基準電位ＧＮＤとが同一であるとみなす。ここで、フィードスルーとは、走査線４０に走査信号が供給され、データ線５０を介して画素電極２１に電位が供給された後に、走査線４０への走査信号の供給が終了した際（例えば走査線４０の電位が低下した際）、画素電極２１の電位が、走査線４０との間の寄生容量に起因して変動する（例えば走査線４０の電位低下とともに低下する）現象をいう。共通電位Ｖｃｏｍは、フィードスルーにより画素電極２１の電位が低下することを予め想定して、画素電極２１に供給される基準電位ＧＮＤより僅かに低い値とされることがあるが、この場合も共通電位Ｖｃｏｍと基準電位ＧＮＤとが同電位であるとみなす。
【００３４】
なお、コントローラー１０、走査線駆動回路６０、データ線駆動回路７０及び共通電位供給回路２２０には、各種の信号が入出力されるが、本実施形態と特に関係のないものについては説明を省略する。
【００３５】
図２は、画素２０の電気的な構成を示す等価回路図である。
【００３６】
図２において、画素２０は、画素スイッチング用トランジスター２４と、画素電極２１と、対向電極２２と、電気泳動素子２３と、保持容量２７とを備えている。
【００３７】
画素スイッチング用トランジスター２４は、例えばＮ型トランジスターで構成されている。画素スイッチング用トランジスター２４は、そのゲートが走査線４０に電気的に接続されており、そのソースがデータ線５０に電気的に接続されており、そのドレインが画素電極２１及び保持容量２７に電気的に接続されている。画素スイッチング用トランジスター２４は、データ線駆動回路７０（図１参照）からデータ線５０を介して供給されるデータ電位を、走査線駆動回路６０（図１参照）から走査線４０を介してパルス的に供給される走査信号に応じたタイミングで、画素電極２１及び保持容量２７に出力する。
【００３８】
画素電極２１には、データ線駆動回路７０からデータ線５０及び画素スイッチング用トランジスター２４を介して、データ電位が供給される。画素電極２１は、電気泳動素子２３を介して対向電極２２と互いに対向するように配置されている。
【００３９】
対向電極２２は、共通電位Ｖｃｏｍが供給される共通電位線９３に電気的に接続されている。
【００４０】
電気泳動素子２３は、電気泳動粒子をそれぞれ含んでなる複数のマイクロカプセルから構成されている。
【００４１】
保持容量２７は、誘電体膜を介して対向配置された一対の電極からなり、一方の電極が、画素電極２１及び画素スイッチング用トランジスター２４に電気的に接続され、他方の電極が共通電位線９３に電気的に接続されている。保持容量２７によってデータ電位を一定期間だけ維持することができる。
【００４２】
次に、電気泳動表示装置１の表示部３の具体的な構成について、図３及び図４を参照して説明する。
【００４３】
図３は、電気泳動表示装置１の表示部３の部分断面図である。なお、図３には、後述する図４のＡ−Ａ’線断面に対応する表示部３の一部が示されている。また、図３においては、各層・各部材を図面上で認識可能な程度の大きさとするため、該各層・各部材ごとに縮尺を異ならしめてある。
【００４４】
図３において、表示部３は、素子基板２８と対向基板２９との間に電気泳動素子２３が挟持される構成となっている。なお、本実施形態では、対向基板２９側に画像を表示することを前提として説明する。
【００４５】
素子基板２８は、例えばガラスやプラスチック等からなる基板である。素子基板２８上には、ここでは図示を省略するが、図２を参照して前述した画素スイッチング用トランジスター２４、保持容量２７、走査線４０、データ線５０、共通電位線９３等が作り込まれた積層構造が形成されている。この積層構造の上層側に複数の画素電極２１がマトリクス状に設けられている。
【００４６】
対向基板２９は、例えばガラスやプラスチック等からなる透明な基板である。対向基板２９における素子基板２８との対向面上には、対向電極２２が複数の画素電極２１と対向してベタ状に形成されている。対向電極２２は、例えばマグネシウム銀（ＭｇＡｇ）、インジウム・スズ酸化物（ＩＴＯ）、インジウム・亜鉛酸化物（ＩＺＯ）等の透明導電材料から形成されている。
【００４７】
電気泳動素子２３は、電気泳動粒子をそれぞれ含んでなる複数のマイクロカプセル８０から構成されており、例えば樹脂等からなるバインダー３０及び接着層３１によって素子基板２８及び対向基板２９間で固定されている。なお、接着層３１は本発明に係る「接着剤」の一例である。また、本実施形態に係る電気泳動表示装置１は、製造プロセスにおいて、電気泳動素子２３が予め対向基板２９側にバインダー３０によって固定されてなる電気泳動シートが、別途製造された、画素電極２１等が形成された素子基板２８側に接着層３１によって接着されて構成されている。
【００４８】
マイクロカプセル８０は、画素電極２１及び対向電極２２間に挟持され、１つの画素２０内に（言い換えれば、１つの画素電極２１に対して）１つ又は複数配置されている。
【００４９】
マイクロカプセル８０は、被膜の内部に分散媒と、複数の白色粒子８２と、複数の黒色粒子８３とが封入されてなる。マイクロカプセル８０は、例えば、５０ｕｍ程度の粒径を有する球状に形成されている。
【００５０】
被膜は、マイクロカプセル８０の外殻として機能し、ポリメタクリル酸メチル、ポリメタクリル酸エチル等のアクリル樹脂、ユリア樹脂、アラビアガム、ゼラチン等の透光性を有する高分子樹脂から形成されている。
【００５１】
分散媒は、白色粒子８２及び黒色粒子８３をマイクロカプセル８０内（言い換えれば、被膜内）に分散させる媒質である。分散媒としては、水や、メタノール、エタノール、イソプロパノール、ブタノール、オクタノール、メチルセルソルブ等のアルコール系溶媒、酢酸エチル、酢酸ブチル等の各種エステル類、アセトン、メチルエチルケトン、メチルイソブチルケトン等のケトン類、ペンタン、ヘキサン、オクタン等の脂肪族炭化水素、シクロヘキサン、メチルシクロヘキサン等の脂環式炭化水素、ベンゼン、トルエンや、キシレン、ヘキシルベンゼン、へブチルベンゼン、オクチルベンゼン、ノニルベンゼン、デシルベンゼン、ウンデシルベンゼン、ドデシルベンゼン、トリデシルベンゼン、テトラデシルベンゼン等の長鎖アルキル基を有するベンゼン類等の芳香族炭化水素、塩化メチレン、クロロホルム、四塩化炭素、１、２−ジクロロエタン等のハロゲン化炭化水素、カルボン酸塩やその他の油類を単独で又は混合して用いることができる。また、分散媒には、界面活性剤が配合されてもよい。
【００５２】
白色粒子８２は、例えば、二酸化チタン、亜鉛華（酸化亜鉛）、三酸化アンチモン等の白色顔料からなる粒子（高分子或いはコロイド）であり、例えば負に帯電されている。
【００５３】
黒色粒子８３は、例えば、アニリンブラック、カーボンブラック等の黒色顔料からなる粒子（高分子或いはコロイド）であり、例えば正に帯電されている。
【００５４】
このため、白色粒子８２及び黒色粒子８３は、画素電極２１と対向電極２２との間の電位差によって発生する電場によって、分散媒中を移動することができる。
【００５５】
これらの顔料には、必要に応じ、電解質、界面活性剤、金属石鹸、樹脂、ゴム、油、ワニス、コンパウンド等の粒子からなる荷電制御剤、チタン系カップリング剤、アルミニウム系カップリング剤、シラン系カップリング剤等の分散剤、潤滑剤、安定化剤等を添加することができる。
【００５６】
図３において、画素電極２１と対向電極２２との間に、相対的に対向電極２２の電位が高くなるように電圧が印加された場合には、正に帯電された黒色粒子８３はクーロン力によってマイクロカプセル８０内で画素電極２１側に引き寄せられるとともに、負に帯電された白色粒子８２はクーロン力によってマイクロカプセル８０内で対向電極２２側に引き寄せられる。この結果、マイクロカプセル８０内の表示面側（即ち、対向電極２２側）には白色粒子８２が集まることになり、表示部３の表示面にはこの白色粒子８２の色（即ち、白色）が表示されることとなる。逆に、画素電極２１と対向電極２２との間に、相対的に画素電極２１の電位が高くなるように電圧が印加された場合には、負に帯電された白色粒子８２がクーロン力によって画素電極２１側に引き寄せられるとともに、正に帯電された黒色粒子８３はクーロン力によって対向電極２２側に引き寄せられる。この結果、マイクロカプセル８０の表示面側には黒色粒子８３が集まることになり、表示部３の表示面にはこの黒色粒子８３の色（即ち、黒色）が表示されることとなる。
【００５７】
なお、白色粒子８２、黒色粒子８３に用いる顔料を、例えば赤色、緑色、青色等の顔料に代えることによって、赤色、緑色、青色等を表示することができる。
【００５８】
本実施形態では、前述した部分書き換え駆動が採用されている。即ち、本実施形態では、表示部３に表示された画像（黒色及び白色の２階調からなる２階調画像）を書き換える場合、階調を白色から黒色に変化させるべき画素２０については、画素電極２１にデータ電位として高電位ＶＨが供給され、階調を黒色から白色に変化させるべき画素２０については、画素電極２１にデータ電位として低電位ＶＬが供給され、階調を変化させない（即ち、階調を黒色又は白色のまま維持すべき）画素２０については、画素電極２１にデータ電位として基準電位ＧＮＤが供給される。これにより、階調を白色から黒色に変化させるべき画素２０では、表示面側（即ち、対向電極２２側）に黒色粒子８３が集まって黒色が表示され、階調を黒色から白色に変化させるべき画素２０では、表示面側に白色粒子８２が集まって白色が表示され、階調を変化させない画素２０では、白色粒子８２及び黒色粒子８３はほとんど或いは全く移動せず、階調が黒色又は白色のまま維持される。
【００５９】
図３において、本実施形態では特に、画素電極２１における対向電極２２側の面に、絶縁材料からなる絶縁膜３１０が、画素電極２１を部分的に覆うように設けられている。絶縁膜３１０を構成する絶縁材料としては、例えば、アクリル、ポリカーボネイト、ポリメタクリル酸メチル樹脂（ＰＭＭＡ）などの樹脂や、酸化シリコン（ＳｉＯ２）、窒化ケイ素（Ｓｉ３Ｎ４、ＳｉＮｘ）、アルミナ（Ａｌ２Ｏ３）などの無機材料を用いることができる。
【００６０】
図４は、絶縁膜３１０の構成を示す平面図である。
【００６１】
図３及び図４において、絶縁膜３１０は、画素電極２１と接着層３１（図３参照）との間に、画素電極２１を部分的に覆うように設けられている。より具体的には、絶縁膜３１０は、表示部３にマトリクス状に設けられた複数の画素電極２１の全てに設けられており、画素電極２１を夫々露出させる複数の開口部３１９を有している。複数の開口部３１９は、絶縁膜３１０のうち画素電極２１に重なる部分ごとに、マトリクス状に配列されている。絶縁膜３１０は、画素電極２１を部分的に覆う本体部３１１と、この本体部３１１から、隣り合う画素電極２１間の領域Ｒ１（以下、「画素電極間領域Ｒ１」と適宜称する）に延在する延在部３１２とを有している。即ち、絶縁膜３１０は、画素電極２１上に設けられた本体部３１１と、画素電極間領域Ｒ１に設けられた延在部３１２とを有している。
【００６２】
よって、例えば画素電極２１における対向電極２２側の面に絶縁膜３１０が設けられていない場合と比較して、画素電極２１が、接着層３１と接触する面積を低減できる。言い換えれば、画素電極２１における対向電極２２側の面における、隣り合う画素電極２１間でリーク電流が発生し得る領域を絶縁膜３１０によって狭くすることができる。したがって、接着層３１を介して、隣り合う画素電極２１間にリーク電流が発生してしまうことを低減できる。これにより、例えば、前述したような境界部の滲みの発生を抑制でき、ひいては、輪郭残像の発生を抑制できる。
【００６３】
更に、絶縁膜３１０は、画素電極２１を部分的に覆うように設けられているので、言い換えれば、画素電極２１の一部を露出させる複数の開口部３１９を有しているので、画素電極２１及び対向電極２２間に画像信号に応じた電圧を確実に印加できる。
【００６４】
なお、画素電極２１における対向電極２２側の面の全体に対する、画素電極２１における対向電極２２側の面のうち絶縁膜３１０が重なる部分の割合（即ち、画素電極２１の全体の面積に対する、画素電極２１のうち絶縁膜３１０によって覆われている部分の面積の割合）は、例えば、２５〜７５パーセントの範囲内であることが好ましい。この場合には、隣り合う画素電極２１間のリーク電流の発生を確実に低減できるとともに、画素電極２１及び対向電極２２間に画像信号に応じた電圧を確実に印加できる。前述の割合が、２５パーセントよりも低い場合には、隣り合う画素電極２１間に発生するリーク電流が、黒画像部分と白画像部分との境界部の滲みが視認される程度にまで大きくなってしまうおそれがある。他方、前述の割合が、７５パーセントよりも高い場合には、画素電極２１及び対向電極２２間に印加すべき電圧を十分に印加することができず、表示すべき階調が表示できなくなってしまうおそれがある。
【００６５】
以上説明したように、本実施形態に係る電気泳動表示装置１によれば、隣り合う画素電極２１間のリーク電流を低減できる。これにより、例えば、表示部３に表示される画像における境界部の滲みの発生を抑制でき、ひいては、輪郭残像の発生を抑制できる。更に、画素電極２１及び対向電極２２間に画像信号に応じた電圧を確実に印加できる。これらの結果、高品質な画像を表示することが可能となる。
【００６６】
＜第２実施形態＞
第２実施形態に係る電気泳動表示装置について、図５を参照して説明する。
【００６７】
図５は、第２実施形態に係る電気泳動表示装置の画素電極２１を部分的に覆う絶縁膜３２０の構成を示す平面図である。なお、図５において、図１から図４に示した第１実施形態に係る構成要素と同様の構成要素に同一の参照符合を付し、それらの説明は適宜省略する。
【００６８】
図５において、第２実施形態に係る電気泳動表示装置は、前述した第１実施形態における絶縁膜３１０に代えて絶縁膜３２０を備える点で、前述した第１実施形態に係る電気泳動表示装置１と異なり、その他の点については、前述した第１実施形態に係る電気泳動表示装置１と概ね同様に構成されている。
【００６９】
本実施形態では、画素電極２１における対向電極２２側の面に、絶縁材料からなる絶縁膜３２０が設けられている。絶縁膜３２０は、画素電極２１と接着層３１との間に、画素電極２１を部分的に覆うように設けられている。より具体的には、絶縁膜３２０は、表示部３にマトリクス状に設けられた複数の画素電極２１の全てに設けられており、画素電極２１を夫々露出させる複数の開口部３２９を有している。開口部３２９は、画素電極２１ごとに複数設けられており、それぞれ画素電極２１の中心を取り囲む枠形状を有している。絶縁膜３２０は、画素電極２１を部分的に覆う本体部３２１と、この本体部３２１から画素電極間領域Ｒ１に延在する延在部３２２とを有している。即ち、絶縁膜３２０は、画素電極２１上に設けられた本体部３２１と、画素電極間領域Ｒ１に設けられた延在部３２２とを有している。
【００７０】
よって、例えば画素電極２１における対向電極２２側の面に絶縁膜３２０が設けられていない場合と比較して、画素電極２１が接着層３１と接触する面積を低減でき、接着層３１を介して隣り合う画素電極２１間にリーク電流が発生してしまうことを低減できる。更に、絶縁膜３２０は、画素電極２１を部分的に覆うように設けられているので、画素電極２１及び対向電極２２間に画像信号に応じた電圧を確実に印加できる。
【００７１】
＜第３実施形態＞
第３実施形態に係る電気泳動表示装置について、図６を参照して説明する。
【００７２】
図６は、第３実施形態に係る電気泳動表示装置の隣り合う画素電極２１を覆う絶縁膜３３０の構成を示す平面図である。なお、図６において、図１から図４に示した第１実施形態に係る構成要素と同様の構成要素に同一の参照符合を付し、それらの説明は適宜省略する。
【００７３】
図６において、第３実施形態に係る電気泳動表示装置は、前述した第１実施形態における絶縁膜３１０に代えて絶縁膜３３０を備える点で、前述した第１実施形態に係る電気泳動表示装置１と異なり、その他の点については、前述した第１実施形態に係る電気泳動表示装置１と概ね同様に構成されている。
【００７４】
本実施形態では、画素電極２１における対向電極２２側の面に、絶縁材料からなる絶縁膜３３０が設けられている。絶縁膜３３０は、画素電極２１と接着層３１との間に、画素電極２１を部分的に覆うように設けられている。より具体的には、絶縁膜３３０は、表示部３にマトリクス状に設けられた複数の画素電極２１の全てに設けられており、画素電極２１を夫々露出させる複数の開口部３３９ａ及び３３９ｂを有している。開口部３３９ａは、隣り合う画素電極２１のうち一方の画素電極２１Ａに対して複数設けられており、データ線５０が延在する方向（図中、Ｙ方向）に長い長方形状を有している。開口部３３９ｂは、隣り合う画素電極２１のうち他方の画素電極２１Ｂに対して複数設けられており、走査線４０が延在する方向（図中、Ｘ方向）に長い長方形状を有している。即ち、本実施形態では、隣り合う画素電極２１Ａと画素電極２１Ｂとで異なる平面形状を有する開口部が絶縁膜３３０に形成されている。絶縁膜３３０は、画素電極２１を部分的に覆う本体部３３１と、この本体部３３１から画素電極間領域Ｒ１に延在する延在部３３２とを有している。
【００７５】
よって、画素電極２１が接着層３１と接触する面積を低減でき、接着層３１を介して隣り合う画素電極２１間にリーク電流が発生してしまうことを低減できる。更に、絶縁膜３３０は、画素電極２１を部分的に覆うように設けられているので、画素電極２１及び対向電極２２間に画像信号に応じた電圧を確実に印加できる。
【００７６】
＜第４実施形態＞
第４実施形態に係る電気泳動表示装置について、図７を参照して説明する。
【００７７】
図７は、第４実施形態に係る電気泳動表示装置の画素電極２１を部分的に覆う絶縁膜３４０の構成を示す平面図である。なお、図７において、図１から図４に示した第１実施形態に係る構成要素と同様の構成要素に同一の参照符合を付し、それらの説明は適宜省略する。
【００７８】
図７において、第４実施形態に係る電気泳動表示装置は、前述した第１実施形態における絶縁膜３１０に代えて絶縁膜３４０を備える点で、前述した第１実施形態に係る電気泳動表示装置１と異なり、その他の点については、前述した第１実施形態に係る電気泳動表示装置１と概ね同様に構成されている。
【００７９】
本実施形態では、画素電極２１における対向電極２２側の面に、絶縁材料からなる絶縁膜３４０が設けられている。絶縁膜３４０は、画素電極２１と接着層３１との間に、画素電極２１を部分的に覆うように設けられている。より具体的には、絶縁膜３４０は、表示部３にマトリクス状に設けられた複数の画素電極２１の各々に対して、マトリクス状に配列された複数の膜部分を有している。
【００８０】
よって、例えば画素電極２１における対向電極２２側の面に絶縁膜３４０が設けられていない場合と比較して、画素電極２１が、接着層３１と接触する面積を低減でき、接着層３１を介して隣り合う画素電極２１間にリーク電流が発生してしまうことを低減できる。更に、絶縁膜３４０は、画素電極２１を部分的に覆うように設けられているので、画素電極２１及び対向電極２２間に画像信号に応じた電圧を確実に印加できる。
【００８１】
＜第５実施形態＞
第５実施形態に係る電気泳動表示装置について、図８を参照して説明する。
【００８２】
図８は、第５実施形態に係る電気泳動表示装置の画素電極２１を部分的に覆う絶縁膜３５０の構成を示す平面図である。なお、図８において、図１から図４に示した第１実施形態に係る構成要素と同様の構成要素に同一の参照符合を付し、それらの説明は適宜省略する。
【００８３】
図８において、第５実施形態に係る電気泳動表示装置は、前述した第１実施形態における絶縁膜３１０に代えて絶縁膜３５０を備える点で、前述した第１実施形態に係る電気泳動表示装置１と異なり、その他の点については、前述した第１実施形態に係る電気泳動表示装置１と概ね同様に構成されている。
【００８４】
本実施形態では、隣り合う画素電極２１のうち一方の画素電極２１Ａのみにおける対向電極２２側の面に、絶縁材料からなる絶縁膜３５０が設けられている。絶縁膜３５０は、画素電極２１と接着層３１との間に、一方の画素電極２１Ａを部分的に覆うように設けられている。絶縁膜３５０は、隣り合う画素電極２１のうち一方の画素電極２１Ａのみに設けられており、他方の画素電極２１Ｂには設けられていない。絶縁膜３５０は、一方の画素電極２１Ａ上に、走査線４０が延びる方向（図中、Ｙ方向）に長い長方形状をそれぞれ有する複数の膜部分を有している。
【００８５】
よって、例えば画素電極２１Ａにおける対向電極２２側の面に絶縁膜３５０が設けられていない場合と比較して、画素電極２１Ａが接着層３１と接触する面積を低減でき、接着層３１を介して隣り合う画素電極２１Ａと画素電極２１Ｂとの間にリーク電流が発生してしまうことを低減できる。これにより、例えば、背景技術において前述したような表示部に表示される画像における境界部の滲みの発生を抑制でき、ひいては、輪郭残像の発生を抑制できる。
【００８６】
更に、絶縁膜３５０は、画素電極２１Ａを部分的に覆うように設けられているので、言い換えれば、画素電極２１Ａ上に互いに離れた複数の膜部分として設けられているので、画素電極２１Ａ及び対向電極２２間に画像信号に応じた電圧を確実に印加できる。
【００８７】
＜電子機器＞
次に、前述した実施形態に係る電気泳動表示装置を適用した電子機器について、図９及び図１０を参照して説明する。以下では、前述した実施形態に係る電気泳動表示装置を電子ペーパー及び電子ノートに適用した場合を例にとる。
【００８８】
図９は、電子ペーパー１４００の構成を示す斜視図である。
【００８９】
図９に示すように、電子ペーパー１４００は、前述した実施形態に係る電気泳動表示装置を表示部１４０１として備えている。電子ペーパー１４００は可撓性を有し、従来の紙と同様の質感及び柔軟性を有する書き換え可能なシートからなる本体１４０２を備えて構成されている。
【００９０】
図１０は、電子ノート１５００の構成を示す斜視図である。
【００９１】
図１０に示すように、電子ノート１５００は、図９で示した電子ペーパー１４００が複数枚束ねられ、カバー１５０１に挟まれているものである。カバー１５０１は、例えば外部の装置から送られる表示データを入力するための表示データ入力手段（図示せず）を備える。これにより、その表示データに応じて、電子ペーパーが束ねられた状態のまま、表示内容の変更や更新を行うことができる。
【００９２】
前述した電子ペーパー１４００及び電子ノート１５００は、前述した実施形態に係る電気泳動表示装置を備えるので、高品質な画像表示を行うことが可能である。
【００９３】
なお、これらの他に、腕時計、携帯電話、携帯用オーディオ機器などの電子機器の表示部に、前述した本実施形態に係る電気泳動表示装置を適用することができる。
【００９４】
なお、本発明は、電気泳動表示装置のほか、電子粉流体が用いられた表示装置にも適用することが可能である。また、上記実施形態では、白色粒子８２が負に帯電し、黒色粒子８３が正に帯電している例で説明したが、白色粒子８２が正に帯電し、黒色粒子８３が負に帯電していてもよい。また、電気泳動素子２３は、マイクロカプセル８０を有する構成に限られず、隔壁によって仕切られた空間に電気泳動分散媒と電気泳動粒子が含まれる構成であってもよい。
【００９５】
本発明は、前述した実施形態に限られるものではなく、特許請求の範囲及び明細書全体から読み取れる発明の要旨或いは思想に反しない範囲で適宜変更可能であり、そのような変更を伴う電気泳動表示装置、及び該電気泳動表示装置を備えてなる電子機器もまた本発明の技術的範囲に含まれるものである。
【符号の説明】
【００９６】
３…表示部、１０…コントローラー、２０…画素、２１…画素電極、２２…対向電極、２４…画素スイッチング用トランジスター、２８…素子基板、２９…対向基板、３０…バインダー、３１…接着層、４０…走査線、５０…データ線、６０…走査線駆動回路、７０…データ線駆動回路、８２…白色粒子、８３…黒色粒子、２２０…共通電位供給回路、３１０、３２０、３３０、３４０、３５０…絶縁膜。
【図１】
2012225981.tif 000003
【図２】
2012225981.tif 000004
【図３】
2012225981.tif 000005
【図４】
2012225981.tif 000006
【図５】
2012225981.tif 000007
【図６】
2012225981.tif 000008
【図７】
2012225981.tif 000009
【図８】
2012225981.tif 000010
【図９】
2012225981.tif 000011
【図１０】
2012225981.tif 000012